(57)【要約】【課題】  操作性の良好なリーダライタを提供する。【解決手段】  外部記憶媒体５を出し入れするための媒体出入口７をケーシング２の前面４に有し、上方ならびに前方が開放したスタンド７の受部１８に載置して使用する小型リーダライタにおいて、前記ケーシング２の前面４と直交する方向に延びた側面１２に、前記媒体出入口７における外部記憶媒体５の出し入れ５の方向Ａとほぼ直交する方向に延びた係合部１３を設けたことを特徴とする。【選択図】      図８
2005084735.tif 000002
【特許請求の範囲】
【請求項１】
外部記録媒体を出し入れするための媒体出入口をケーシングの前面に有する小型リーダライタにおいて、
前記ケーシングの前面と直交する方向に延びた側面に、前記媒体出入口における外部記憶媒体の出し入れ方向とほぼ直交する方向に延びてリーダライタ用スタンドの受部の一部と係合する係合部を設けたことを特徴とする小型リーダライタ。
【請求項２】
上方ならびに前方が開放した受部を有し、その受部に小型リーダライタを載置してリーダライタを使用するリーダライタ用スタンドにおいて、
外部記憶媒体の出し入れ方向とほぼ直交する方向に延びた係合部をケーシングの側面に形成したリーダライタを前記受部に載置したとき、前記係合部と係合する係止部を受部上に設けたことを特徴とするリーダライタ用スタンド。
【発明の詳細な説明】
【技術分野】
【０００１】
本発明は、例えばＩＣカードなどの外部記憶媒体を差し込んで、その外部記録媒体とパーソナルコンピュータとの間で情報の授受を行なう小型リーダライタ及びそのリーダライタの使用を簡便にするスタンドに関するものである。
【背景技術】
【０００２】
図１３は、従来のリーダライタの使用状態を示す斜視図である。卓上式の小型リーダライタ１００は信号コード１０１ならびにコネクター１０２を介して凡用のパーソナルコンピュータ１０３に接続されている。
【０００３】
リーダライタ１００の媒体出入口１０４にＩＣカード１０５を差し込んで、ＩＣカード１０５とパーソナルコンピュータ１０３の間で情報の授受を行なう。
【発明の開示】
【発明が解決しようとする課題】
【０００４】
ＩＣカード１０５はリーダライタ１００内において所定の挟持力で保持されているため、ＩＣカード１０５をリーダライタ１００から引き抜くとき、リーダライタ１００を固定しないでＩＣカード１０５だけを引き抜こうとしても、近年のリーダライタ１００の小型、軽量化に伴い、リーダライタ１００も一緒に付いて来て、ＩＣカード１０５の引き抜きができない。
【０００５】
ＩＣカード１０５をリーダライタ１００に差し込むときも同様であり、ＩＣカード１０５を差し込もうとしてもリーダライタ１００が移動してスムーズに装着できない。
【０００６】
そのためリーダライタ１００を片手に持って固定し、他方の手でＩＣカード１０５をリーダライタ１００に差し込んだり引き抜いたりする必要があり、ＩＣカード１０５を取り扱う度毎にリーダライタ１００を手で持つ煩雑さがあった。
【０００７】
本発明の目的は、このような従来技術の欠点を解消し、使用に便利な小型リーダライタ及びそのスタンドを提供することにある。
【課題を解決するための手段】
【０００８】
前記目的を達成するため第１の本発明は、例えばＩＣカードなどの外部記憶媒体を出し入れするための媒体出入口をケーシングの前面に有する小型リーダライタにおいて、前記ケーシングの前面と直交する方向に延びた側面に、前記媒体出入口における外部記憶媒体の出し入れ方向とほぼ直交する方向に延びてリーダライタ用スタンドの受部の一部と係合する例えば溝部などの係合部を設けたことを特徴とするものである。
【０００９】
前記目的を達成するため第２の本発明は、上方ならびに前方が開放した受部を有し、その受部に小型リーダライタを載置してリーダライタを使用するリーダライタ用スタンドにおいて、外部記憶媒体の出し入れ方向とほぼ直交する方向に延びた例えば溝部などの係合部をケーシングの側面に形成したリーダライタを前記受部に載置したとき、前記係合部と係合する例えば突条などの係止部を受部上の例えば側壁に設けたことを特徴とするものである。
【発明の効果】
【００１０】
本発明は前述のような構成になっており、リーダライタがスタンド上で外部記憶媒体の出し入れ方向にずれないように保持されるから、従来のようにリーダライタを手に持って外部記憶媒体を出し入れする必要がなく、そのため出し入れ操作が簡便で、操作性の向上が図れる。
【発明を実施するための最良の形態】
【００１１】
次の本発明の実施形態を図とともに説明する。図１はリーダライタの平面図、図２はリーダライタの側面図、図２はリーダライタの側面図、図３はリーダライタの斜視図、図４はそのリーダライタに装着するＩＣカードの平面図、図５はそのリーダライタに装着する円板状記憶媒体の平面図である。
【００１２】
卓上式の小型リーダライタ１は、例えばＡＢＳやポリカーボネートなどからなるほぼ箱形のケーシング２を有し、その中にリーダライタアンテナコイル３、リーダライタトランシーバ／レシーバ、リーダライタコントローラ（ともに図示せず）など信号処理のための各種電子部品を設置している。
【００１３】
図３に示すようにケーシング２の前面４に、図４に示すＩＣカード５あるいは図５に示す円板状記憶媒体６などの外部記憶媒体を出し入れする媒体出入口７が形成され、この媒体出入口７から内側に向けて媒体スライド面８が設けられ、媒体スライド面８には外部記憶媒体の出し入れ方向Ａに沿って多数のリブ９が突設されている。このリブ９は、外部媒体の出し入れ時の摺動抵抗を少なくするために設けられている。ケーシング２の上面１０の媒体出入口７付近にほぼＶ字状に切り欠かれた切欠部１１が形成され、媒体スライド面８の一部が露呈している。図１に示すように、媒体スライド面８の下方にリーダライタアンテナコイル３が設置されている。
【００１４】
ケーシング２の前面４とほぼ直交する方向に延びに両側面１２には、媒体出入口７における外部記憶媒体の出し入れ方向Ａとほぼ直交する方向に延びた多数のＶ字状の溝１３が、側面１２のほぼ全面にわたって形成されている。溝１３は側面１２の上方から下方に向けて貫通している。
【００１５】
図１に示すようにケーシング２の上面１０には、電源の入，断を表示する電源ランプ１４と、稼働中か否かを表示する稼働ランプ１５が設けられている。
【００１６】
ＩＣカード５は図４に示すように、回路形成面に絶縁膜を介して媒体アンテナコイルを一体に形成したＩＣチップ１６が所定位置に内蔵されている。また円板状記録媒体（トークン）６は図５に示すように、中央部に同様のＩＣチップ１６が内蔵されている。
【００１７】
図６はＩＣカード５リーダライタ１に装着した状態を、図７は円板状記憶媒体６をリーダライタ１に装着した状態をそれぞれに示しており、いずれの場合もリーダライタ１内に設けられているバネ部材（図示せず）によって外部記憶媒体が装着位置で弾性的に押圧位置決めされ、外部記憶媒体のＩＣチップ１６上に設けられている媒体アンテナコイルがリーダライタ１側のアンテナコイル３（図１参照）と対向する。両者のアンテナコイルを介して非接触でリーダライタ１とＩＣチップ１６が接続される。
【００１８】
図８と図９はリーダライタ１をスタンド１７に装着した状態を示す平面図と側面図、図１０はスタンド１７の受部１８の平面図、図１１は図１０Ｘ−Ｘ線上の断面図、図１２はリーダライタ１の使用状態を示す斜視図である。
【００１９】
図９に示すようにスタンド１７は、受部１８と脚部１９から構成されている。受部１８は図１０と図１１に示すように、リーダライタ１とほぼ同じ形状と大きさを有する底壁２０と、その底壁２０から立設された両側壁２１、２１と後壁２２とを有している。受部１８の上方はリーダライタ１の脱着のために、受部１８の前方は外部記憶媒体の脱着のために、それぞれ開放されている。
【００２０】
側壁２１の内面には、リーダライタ１の側面１２に形成されている溝１３と嵌合する山形の突条２３が、リーダライタ１の載置方向（外部記憶媒体の出し入れ方向Ａとほぼ直交する方向）に沿って延びるように設けられている。後壁２２のほぼ中央部には、リーダライタ１に接続されている信号コード２４を受部１８から引き出すための凹部２５が形成されている。
【００２１】
この受部１８は図９にし示すように、受部１８の前方が後方よりも若干高くなるように傾斜状態（傾斜角Θか例えば約１０〜３０度の範囲）を保持するように脚部１９に取付けられる。同図に示すように脚部１９の下部には板状の金属製重し２６が内蔵それ、また下面にはゴムなどからなる滑り止め２７が取り付けられている。
【００２２】
リーダライタ１は受部１８の上方から載置され、図８に示すようにリーダライタ１の溝１２と受部１８の突条２３が嵌合する。この両者の係合により、リーダライタ１がスタンド１７上でずれないように保持される。
【００２３】
図８と図９ではリーダライタ１がスタンド１７の後壁２２に最も接近した状態でセットされているが、本実施例形態のようにリーダライタ１の側面に多数の溝１３を形成しておけば、操作者の好みによってリーダライタ１を図の状態よりもっと前方にセットすることも可能である。
【００２４】
リーダライタ１をスタンド１７にセットした状態で、リーダライタ１の媒体出入口７からＩＣカード５または円板状記憶媒体６を出し入れする。図９に示すようにリーダライタ１はスタンド１７により机の上面２８より若干浮いた位置に保持されているから、リーダライタ１への外部記憶媒体の出し入れが容易である。
【００２５】
リーダライタ１はスタンド１７によってずれないように保持されているから、従来のようにリーダライタ１を手に持って外部記憶媒体を出し入れする必要はなく、出し入れの操作が簡便である。特にスタンド１７に重し２６や滑り止め２７を設ければ、リーダライタ１の位置が安定して、操作性が向上する。
【００２６】
図１２はＩＣカード５の使用状態を示す図で、ＩＣカード５はリーダライタ１、信号コード２４ならびにコネクタ２９を介してパーソナルコンピュータ３０に接続され、ＩＣカード５とパーソナルコンピュータ３０の間で情報の授受がなされる。
【００２７】
図６示すようにＩＣカード５の場合、それの一部がリーダライタ１に差し込まれているから、リーダライタ１から外側へ突出した部分を指で挟んでＩＣカード５をリーダライタ１から引き抜くことができる。一方、円板状記憶媒体６の場合は図７に示すように、リーダライタ１の上面に形成した切欠部１１から円板状記憶媒体６の一部が露出しているから、その露出した部分に指を当てて手前にスライドすれば、円板状記憶媒体６をリーダライタ１から引き抜くことができる。
【００２８】
図９に示すようにスタンド１７の側壁２１はリーダライタ１の側面１２よりも低く（約半分程度）設計され、リーダライタ１の側面１２がスタンド１７から露出しているから、この露出した部分を手で持ってリーダライタ１をスタンド１７から容易に取り外すことができる。この際、本実施例形態のように多数の溝１３あるいは突条をリーダライタ１の側面に形成しておれば、それが滑り止めとして機能する。
【００２９】
前記実施形態では非接触式の外部記憶媒体を用いた例を示したが、磁気カードや接触式ＩＣカードなどの接触式の外部記憶媒体を用いるリーダライタにも適用可能である。
【００３０】
前記実施形態ではリーダライタの側面に縦溝を形成し、スタンドの側壁内面に突条を設けたが、反対にリーダライタの側面に突条を設け、スタンドの側壁内面の縦溝を形成することも可能である。
【図面の簡単な説明】
【００３１】
【図１】本発明の実施形態に係るリーダライタの平面図である。
【図２】そのリーダライタの側面図である。
【図３】そのリーダライタの斜視図である。
【図４】ＩＣカードの平面図である。
【図５】円板状記憶媒体の平面図である。
【図６】ＩＣカードをリーダライタに差し込んだ状態を示す平面図である。
【図７】円板状記憶媒体をリーダライタに差し込んだ状態を示す平面図である。
【図８】リーダライタをスタンドにセットした状態を示す平面図である。
【図９】リーダライタをスタンドにセットした状態を示す側面図である。
【図１０】スタンドの受部の平面図である。
【図１１】図１０Ｘ−Ｘ線上の断面図である。
【図１２】本発明の実施形態に係るリーダライタとスタンドを用いてＩＣカードを使用している状態を示す斜視図である。
【図１３】従来のリーダライタを用いてＩＣカードを使用している状態を示す斜視図である。
【符号の説明】
【００３２】
１：リーダライタ、２：ケーシング、３：リーダライタアンテナコイル、４：前面、５：ＩＣカード、６：円板状記憶媒体、７：媒体出入口、８：媒体スライド面、９：リブ、１０：上面、１１：切欠部、１２：側面、１３：溝、１４：電源ランプ、１５：稼働ランプ、１６：ＩＣチップ、１７：スタンド、１８：受部、１９：脚部、２０：底壁、２１：側壁、２２：後壁、２３：突条、２４：信号コード、２５：凹部、２６：重し、２７：滑り止め、２８：机の上面、２９：コネクタ、３０：パーソナルコンピュータ、Ａ：外部記憶媒体の出し入れ方向、Θ：受部の傾斜角。
【図１】
2005084735.tif 000003
【図２】
2005084735.tif 000004
【図３】
2005084735.tif 000005
【図４】
2005084735.tif 000006
【図５】
2005084735.tif 000007
【図６】
2005084735.tif 000008
【図７】
2005084735.tif 000009
【図８】
2005084735.tif 000010
【図９】
2005084735.tif 000011
【図１０】
2005084735.tif 000012
【図１１】
2005084735.tif 000013
【図１２】
2005084735.tif 000014
【図１３】
2005084735.tif 000015